(57)【要約】【課題】複数のセキュリティーセンサにおいて侵入者が同時に検出されても、それぞれから中継器への無線送信が同時に行われることの無いようにすることができるセキュリティーセンサ用無線装置を提供すること。【解決手段】接続先のセキュリティーセンサ２が出力する建物への侵入者の検出状態の入力時に、その検出状態を検出状態出力手段Ｂが中継器３に接続された無線装置３１に出力させるまでに、アイドルタイム格納手段Ａに格納された各セキュリティーセンサ２毎に異なるアイドルタイムだけ、待機時間が設けられる構成とした。【選択図】図１
2007200003.tif 000002
【特許請求の範囲】
【請求項１】
建物への侵入者の検出状態を無線で出力する複数のセキュリティーセンサに接続された無線装置と、侵入者の監視及び解除が設定される中継器に接続された無線装置と、前記中継器に侵入者の監視が設定されている間、前記各セキュリティーセンサが出力する該各セキュリティーセンサの検出状態の内容に応じて侵入者警報を出力する警報器に接続された無線装置とを、無線で接続して侵入者監視を行うセキュリティーシステムにおける、前記各セキュリティーセンサに各々接続された無線装置であって、
接続先の前記セキュリティーセンサが出力する前記建物への侵入者の検出状態の入力から、該検出状態の前記中継器に接続された無線装置への出力までの、前記各セキュリティーセンサ毎に異なる待機時間を示すアイドルタイムが格納されるアイドルタイム格納手段と、
接続先の前記セキュリティーセンサが出力する前記建物への侵入者の検出状態の入力時に、前記アイドルタイム格納手段に格納された前記アイドルタイムの待機後、接続先の前記セキュリティーセンサが出力した前記建物への侵入者の検出状態を前記中継器に接続された無線装置に出力させる検出状態出力手段と、
を備えることを特徴とするセキュリティーセンサ用無線装置。
【発明の詳細な説明】
【技術分野】
【０００１】
本発明は、住宅やオフィスビル等の建物における侵入者監視に用いられるセキュリティーシステムに関する。
【背景技術】
【０００２】
建物の窓等に取り付けられるセキュリティーセンサの検出状態は、従来は有線の信号線を介して警報器側に収集していたが、近年では専ら、無線による通信で収集するケースが増えており（例えば特許文献１）、具体的には、セキュリティーセンサと警報器との無線通信を中継する中継器が、複数のセキュリティーセンサの検出状態を収集して警報器側に随時伝送する形式が採られている。
【０００３】
そのため、例えば外出に伴う侵入者監視の開始や、外出から戻ったことに伴う侵入者監視の解除は、直接又は警報器側を介して中継器に対して行われ、その設定状態に応じて中継器は、収集したセキュリティーセンサの検出状態を警報器側に無線伝送したり無線伝送せずに破棄したりしている。
【０００４】
ところが、上述したような構成では、侵入者の監視中か否かに拘わらず中継器は常にセキュリティーセンサの検出状態を収集することから、特に中継器がバッテリ駆動である場合には、電力消費量が多くなり電池の短命化を招く要因となってしまう。
【０００５】
そこで、本出願人は過去に、中継器に対して侵入者監視の開始や解除が設定された際に、それらの旨を示す設定状態信号を中継器からセキュリティーセンサに対して無線で送信させて、侵入者監視の開始を示す設定状態信号の受信後、侵入者監視の解除を示す設定状態信号を受信するまでの間に限って、セキュリティーセンサによる監視対象の窓の開閉状態の検出を行わせ、かつ、その検出結果に関する無線送信を中継器（乃至警報器）に対して行わせるセキュリティーシステムを提案した（特願２００５−２８３４０６）。
【特許文献１】特開２００４−２０６５３１号公報
【発明の開示】
【発明が解決しようとする課題】
【０００６】
上述した本出願人の提案に係るセキュリティーシステムにおいて、複数のセキュリティーセンサを同時に使用する場合には、各々のセキュリティーセンサから中継器（乃至警報器）に対する無線送信が同時に行われてバッティングしないようにすることが肝要となる。
【０００７】
そのためには、複数の窓が同時に開放された場合に、それぞれの窓を監視対象とする複数のセキュリティーセンサから中継器（乃至警報器）に対する無線送信が同時に行われてしまわないようにすることが必要となる。
【０００８】
本発明は前記事情に鑑みなされたもので、本発明の目的は、侵入者監視やその解除が設定される中継器と複数のセキュリティーセンサとを用いて侵入者の監視を行う無線通信式のセキュリティシステムにおいて、侵入者が同時に検出されてもそれぞれから中継器への無線送信が同時に行われることの無いようにすることができるセキュリティーセンサ用無線装置を提供することにある。
【課題を解決するための手段】
【０００９】
上記目的を達成するため請求項１に記載した本発明のセキュリティーセンサ用無線装置は、図１の基本構成図に記載したように、建物への侵入者の検出状態を無線で出力する複数のセキュリティーセンサ２に接続された無線装置２１と、侵入者の監視及び解除が設定される中継器３に接続された無線装置３１と、前記中継器３に侵入者の監視が設定されている間、前記各セキュリティーセンサ２が出力する該各セキュリティーセンサ２の検出状態の内容に応じて侵入者警報を出力する警報器１に接続された無線装置１１とを、無線で接続して侵入者監視を行うセキュリティーシステムにおける、前記各セキュリティーセンサ２に各々接続された無線装置であって、接続先の前記セキュリティーセンサ２が出力する前記建物への侵入者の検出状態の入力から、該検出状態の前記中継器３に接続された無線装置３１への出力までの、前記各セキュリティーセンサ２毎に異なる待機時間を示すアイドルタイムが格納されるアイドルタイム格納手段Ａと、接続先の前記セキュリティーセンサ２が出力する前記建物への侵入者の検出状態の入力時に、前記アイドルタイム格納手段Ａに格納された前記アイドルタイムの待機後、接続先の前記セキュリティーセンサ２が出力した前記建物への侵入者の検出状態を前記中継器３に接続された無線装置３１に出力させる検出状態出力手段Ｂとを備えることを特徴とする。
【発明の効果】
【００１０】
請求項１に記載した本発明のセキュリティーセンサ用無線装置によれば、接続先のセキュリティーセンサ２が出力する建物への侵入者の検出状態の入力時に、その検出状態を検出状態出力手段Ｂが中継器３に接続された無線装置３１に出力させるまでに、アイドルタイム格納手段Ａに格納された各セキュリティーセンサ２毎に異なるアイドルタイムだけ、待機時間が設けられることから、複数のセキュリティーセンサ２が建物への侵入者の検出状態を出力しても、各検出状態が各セキュリティーセンサ２の接続先の無線装置２１から同時に出力されないようにして、各セキュリティーセンサ２から出力される検出状態のバッティングにより、中継器３乃至それに接続された無線装置３１から警報器１乃至それに接続された無線装置１１への、セキュリティーセンサ２による建物への侵入者の検出状態の無線による通信が妨げられてしまうのを、防止することができる。
【発明を実施するための最良の形態】
【００１１】
以下、本発明の実施形態について図面を参照しながら説明する。
【００１２】
図２は本発明の一実施形態に係る無線装置を用いて複数のセキュリティーセンサによる複数の窓からの侵入者の監視を行うセキュリティーシステムの概略構成を示すブロック図であり、本実施形態に係るセキュリティーシステムは、ガス漏れ警報器１（請求項中の警報器に相当。）と、複数の窓についてその開閉をそれぞれ検出する複数の窓センサ２（請求項中のセキュリティーセンサに相当。）と、各窓センサ２の検出状態に基づいた侵入者の監視やその解除が設定される防犯中継器３（請求項中の中継器に相当。）とを含む。
【００１３】
このうちガス漏れ警報器１は、都市ガスやプロパンガスの成分を検出するセンサによりガス漏れを検知して警報信号を生成し外部に出力すると共に、音声（警報音、警報メッセージ）により報知する機能を内蔵しており、この音声報知機能は、自身がガス漏れを検知した場合だけでなく、外部から入力される信号（データ）によっても作動させることができる。
【００１４】
各窓センサ２は、例えばマグネットセンサやリードスイッチ等により、窓枠の移動、窓ガラスの破壊、あるいは、クレセントの回転を検出することで、窓の開閉を検出してその旨を示す検出信号を出力する従来公知のものである。
【００１５】
防犯中継器３は、不図示のリモコン等の操作によって、窓センサ２の設置された窓等からの侵入者の有無の検出を行う（侵入者監視の開始）か中止するか（侵入者監視の解除）が設定されるものであると共に、各窓センサ３とガス漏れ警報器１との間の信号伝送を中継するものであり、侵入者検出の設定状態が変化したときに、変化後の設定状態を各窓センサ２に報知するための設定状態信号を出力するように構成されている。
【００１６】
そして、各窓センサ２と防犯中継器３との間や、防犯中継器３とガス漏れ警報器１との間では、無線による通信が各々行われ、そのためにガス漏れ警報器１、各窓センサ２、及び、防犯中継器３には、無線装置１１，２１，３１がそれぞれ有線接続されている。
【００１７】
無線装置１１，２１，３１は、図３にブロック図で示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、ガス漏れ警報器１、各窓センサ２、又は、防犯中継器３が接続されるポートＰｉｏと、従来公知のガスメータにガス漏れ警報器の接続検出回路として設けられているのと同じような、ポートＰｉｏへのガス漏れ警報器１や各窓センサ２、防犯中継器３の接続を検出するための接続検出回路ＣＤＣと、不揮発性メモリＮＶＭと、通信用高周波回路部ＲＦに接続されたアンテナＡＴとを有しており、ポートＰｉｏと不揮発性メモリＮＶＭと接続検出回路ＣＤＣはマイコン部μＣＯＭに接続されている。
【００１８】
そして、ガス漏れ警報器１に有線接続される無線装置１１のマイコン部μＣＯＭでは、内部のＲＯＭ（図示せず）に格納された制御プログラムにしたがって、図４のフローチャートで示す処理が実行される。
【００１９】
まず、防犯中継器３に有線接続される無線装置３１との通信に用いる自己の識別情報（識別番号等）と通信チャネルとが不揮発性メモリＮＶＭに登録されているか否かを示す、内部のＲＡＭ（図示せず）の登録状態フラグＦ１が「１」であるか否かを確認し（ステップＳ１）、「１」であれば（ステップＳ１でＹ）、後述するステップＳ１３に進む。
【００２０】
一方、登録状態フラグＦ１が「１」でなければ（ステップＳ１でＮ）、接続検出回路ＣＤＣの状態からポートＰｉｏにガス漏れ警報器１が接続されたか否かを確認し（ステップＳ３）、接続されていない場合は（ステップＳ３でＮ）、ステップＳ１にリターンする。
【００２１】
これに対して、ポートＰｉｏにガス漏れ警報器１が接続された場合は（ステップＳ３でＹ）、ガス漏れ警報器１が接続された旨を示す接続報知信号を生成し、変復調処理用デジタル処理回路部ＤＰにて変調して通信用高周波回路部ＲＦ乃至アンテナＡＴから予め定められたデフォルト周波数のチャネルで無線送信させた後（ステップＳ５）、防犯中継器３に有線接続される無線装置３１からの登録情報信号がデフォルト周波数のチャネルにおいてアンテナＡＴ乃至通信用高周波回路部ＲＦで受信され変復調処理用デジタル処理回路部ＤＰにて復調されて入力されるのを待機する（ステップＳ７）。
【００２２】
無線装置３１からの登録情報信号が入力されたならば（ステップＳ７でＹ）、その登録情報信号中に含まれる識別情報（識別番号等）を、以後の無線装置３１との無線通信において使用する自己の識別信号として不揮発性メモリＮＶＭに登録すると共に、登録情報信号中に含まれる通信チャネルを、以後の無線装置３１との無線通信において使用する通信チャネルとして不揮発性メモリＮＶＭに登録して（ステップＳ９）、ＲＡＭの登録状態フラグＦ１を「１」に設定した後（ステップＳ１１）、ステップＳ１にリターンする。
【００２３】
また、ステップＳ１において、不図示のＲＡＭの登録状態フラグＦ１が「１」である場合（Ｙ）に進むステップＳ１３では、接続検出回路ＣＤＣの状態からガス漏れ警報器１がポートＰｉｏから取り外されたか否かを確認し、取り外された場合は（ステップＳ１３でＹ）、ＲＡＭの登録状態フラグＦ１を「０」に設定した後（ステップＳ１５）、ステップＳ１にリターンする。
【００２４】
一方、ガス漏れ警報器１がポートＰｉｏから取り外されていない場合は（ステップＳ１３でＮ）、防犯中継器３で中継された、設置先の窓からの侵入者があることを示す窓センサ２からの検出信号が、アンテナＡＴ乃至通信用高周波回路部ＲＦで受信され変復調処理用デジタル処理回路部ＤＰにて復調されて入力されたか否かを確認し（ステップＳ１７）、入力されていない場合は（ステップＳ１７でＮ）、ステップＳ１３にリターンする。
【００２５】
これに対して、設置先の窓からの侵入者があることを示す窓センサ２からの検出信号が入力された場合は（ステップＳ１７でＹ）、窓センサ２の設置箇所からの侵入者があることをガス漏れ警報器１において音声出力により報知させるための報知信号を生成してポートＰｉｏからガス漏れ警報器１に出力した後（ステップＳ１９）、ステップＳ１３にリターンする。
【００２６】
また、各窓センサ２にそれぞれ有線接続される無線装置２１のマイコン部μＣＯＭでは、内部のＲＯＭ（図示せず）に格納された制御プログラムにしたがって、図５のフローチャートで示す処理が実行される。
【００２７】
まず、防犯中継器３に有線接続される無線装置３１との通信に用いる自己の識別情報（識別番号等）と通信チャネル、そして、無線装置３１に対する通信を開始する前に確保するアイドルタイムとが不揮発性メモリＮＶＭに登録されているか否かを示す、内部のＲＡＭ（図示せず）の登録状態フラグＦ３が「１」であるか否かを確認し（ステップＳ２１）、「１」であれば（ステップＳ２１でＹ）、後述するステップＳ３３に進む。
【００２８】
一方、登録状態フラグＦ３が「１」でなければ（ステップＳ２１でＮ）、接続検出回路ＣＤＣの状態からポートＰｉｏに窓センサ２が接続されたか否かを確認し（ステップＳ２３）、接続されていない場合は（ステップＳ２３でＮ）、ステップＳ２１にリターンする。
【００２９】
これに対して、ポートＰｉｏに窓センサ２が接続された場合は（ステップＳ２３でＹ）、ガス漏れ警報器１が接続された旨を示す接続報知信号を生成し、変復調処理用デジタル処理回路部ＤＰにて変調して通信用高周波回路部ＲＦ乃至アンテナＡＴから予め定められたデフォルト周波数のチャネルで無線送信させた後（ステップＳ２５）、防犯中継器３に有線接続される無線装置３１からの登録情報信号がデフォルト周波数のチャネルにおいてアンテナＡＴ乃至通信用高周波回路部ＲＦで受信され変復調処理用デジタル処理回路部ＤＰにて復調されて入力されるのを待機する（ステップＳ２７）。
【００３０】
無線装置３１からの登録情報信号が入力されたならば（ステップＳ２７でＹ）、その登録情報信号中に含まれる識別情報（識別番号等）を、以後の無線装置３１との無線通信において使用する自己の識別信号として不揮発性メモリＮＶＭに登録すると共に、登録情報信号中に含まれる通信チャネルを、以後の無線装置３１との無線通信において使用する通信チャネルとして不揮発性メモリＮＶＭに登録し、かつ、登録情報中に含まれるアイドルタイムを、以後の無線装置３１との無線通信において通信の開始前に確保するアイドルタイムとして不揮発性メモリＮＶＭに登録して（ステップＳ２９）、ＲＡＭの登録状態フラグＦ３を「１」に設定した後（ステップＳ３１）、ステップＳ２１にリターンする。
【００３１】
また、ステップＳ２１において、不図示のＲＡＭの登録状態フラグＦ３が「１」である場合（Ｙ）に進むステップＳ３３では、防犯中継器３に有線接続される無線装置３１からの設定状態信号が、不揮発性メモリＮＶＭに登録された通信チャネルにおいて、アンテナＡＴ乃至通信用高周波回路部ＲＦで受信され変復調処理用デジタル処理回路部ＤＰにて復調されて入力されたか否かを確認し、入力されていない場合は（ステップＳ３３でＮ）、後述するステップＳ４１に進み、入力された場合は（ステップＳ３３でＹ）、入力された設定状態信号が侵入者監視の監視→解除を示すものであるか否かを確認する（ステップＳ３５）。
【００３２】
入力された設定状態信号が侵入者監視の監視→解除を示すものである場合は（ステップＳ３５でＹ）、不図示のＲＡＭに確保された有効フラグＦ５を「１」に設定した後（ステップＳ３７）、ステップＳ３１にリターンし、侵入者監視の監視→解除を示すものでない場合は（ステップＳ３５でＮ）、有効フラグＦ５を「０」に設定した後（ステップＳ３９）、ステップＳ３１にリターンする。
【００３３】
また、ステップＳ３３において、防犯中継器３からの設定状態信号が入力されていない場合（Ｎ）に進むステップＳ４１では、図６のフローチャートに示すように、有効フラグＦ５が「０」であるか否かを確認し、「０」である場合は（ステップＳ４１でＹ）、ステップＳ２１にリターンする。
【００３４】
一方、有効フラグＦ５が「０」でない場合は（ステップＳ４１でＮ）、接続検出回路ＣＤＣの状態から窓センサ２がポートＰｉｏから取り外されたか否かを確認し（ステップＳ４３）、取り外された場合は（ステップＳ４３でＹ）、ＲＡＭの登録状態フラグＦ３を「０」に設定した後（ステップＳ４５）、ステップＳ２１にリターンする。
【００３５】
一方、窓センサ２がポートＰｉｏから取り外されていない場合は（ステップＳ４３でＮ）、設置先の窓からの侵入者があることを示す窓センサ２からの検出信号がポートＰｉｏに入力されたか否かを確認し（ステップＳ４７）、入力されていない場合は（ステップＳ４７でＮ）、ステップＳ２１にリターンする。
【００３６】
これに対して、設置先の窓からの侵入者があることを示す窓センサ２からの検出信号がポートＰｉｏに入力された場合は（ステップＳ４７でＹ）、不揮発性メモリＮＶＭに登録されたアイドルタイムの経過を待った後（ステップＳ４９でＹ）、他の窓センサ２に接続された無線装置２１から出力された、不揮発性メモリＮＶＭに登録された通信チャネルにおける送信信号が、アンテナＡＴ乃至通信用高周波回路部ＲＦで受信され変復調処理用デジタル処理回路部ＤＰにて復調されて入力されないこと、つまり、他の無線装置２１による送信が行われていないことを確認する（ステップＳ５１）。
【００３７】
そして、不揮発性メモリＮＶＭに登録された通信チャネルによる他の無線装置２１の送信が行われていないことを確認したならば（ステップＳ５１でＹ）、ステップＳ４７でポートＰｉｏに入力された、設置先の窓からの侵入者があることを示す窓センサ２からの検出信号を、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された通信チャネルで無線送信させた後（ステップＳ５３）、ステップＳ２１にリターンする。
【００３８】
さらに、防犯中継器３に有線接続される無線装置３１のマイコン部μＣＯＭでは、内部のＲＯＭ（図示せず）に格納された制御プログラムにしたがって、図７のフローチャートで示す処理が実行される。
【００３９】
まず、無線装置１１，２１からの接続報知信号がデフォルト周波数のチャネルにおいてアンテナＡＴ乃至通信用高周波回路部ＲＦで受信され変復調処理用デジタル処理回路部ＤＰにて復調されて入力されたか否かを確認し（ステップＳ６１）、入力されていない場合は（ステップＳ６１でＮ）、後述するステップＳ６７に進む。
【００４０】
一方、無線装置１１，２１からの接続報知信号が入力された場合は（ステップＳ６１でＹ）、その接続報知信号の送信元の無線装置１１，２１との無線通信において使用する、その無線装置１１，２１の識別情報（識別番号等）を決定すると共に、通信チャネルを順次切り換えて空きチャネルを見つけ出して、これを接続報知信号の送信元の無線装置１１，２１との無線通信において使用する通信チャネルとして設定し、さらに、接続報知信号の送信元が、窓センサ２に接続された無線装置２１である場合は、その無線装置２１の接続先の窓センサ２から侵入者があることを示す検出信号が入力された際にその検出信号を無線送信するまでの待機時間であるアイドルタイムを、今まで設定した時間長とは異なる時間長で設定し、これら設定した識別情報および通信チャネル、さらに、無線装置２１についてはアイドルタイムを、不揮発性メモリＮＶＭに登録する（ステップＳ６３）。
【００４１】
そして、設定した識別情報および通信チャネル、さらに、無線装置２１についてはアイドルタイムを含む登録情報信号を生成し、変復調処理用デジタル処理回路部ＤＰにて変調して通信用高周波回路部ＲＦ乃至アンテナＡＴから予め定められたデフォルト周波数のチャネルで無線送信させた後（ステップＳ６５）、ステップＳ６１にリターンする。
【００４２】
また、ステップＳ６１において無線装置１１，２１からの接続報知信号が入力されていない場合（Ｎ）に進むステップＳ６７では、不図示のリモコン等の操作による、窓センサ２の設置された窓等からの侵入者の有無の検出、つまり、侵入者監視の設定が、解除から監視（開始）に変更されたか否かを確認する。
【００４３】
侵入者監視の設定が解除から監視に変更された場合は（ステップＳ６７でＹ）、侵入者監視の設定が解除から監視に変更された旨を示す設定状態信号を、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された無線装置２１との通信用の通信チャネルで無線送信させた後（ステップＳ６９）、ステップＳ６１にリターンする。
【００４４】
一方、侵入者監視の設定が解除から監視に変更されていない場合は（ステップＳ６７でＮ）、不図示のリモコン等の操作による侵入者監視の設定が監視から解除に変更されたか否かを確認し（ステップＳ７１）、変更された場合は（ステップＳ７１でＹ）、侵入者監視の設定が監視から解除に変更された旨を示す設定状態信号を、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された無線装置２１との通信用の通信チャネルで無線送信させた後（ステップＳ７３）、ステップＳ６１にリターンする。
【００４５】
これに対し、侵入者監視の設定が監視から解除に変更されていない場合は（ステップＳ７１でＮ）、窓センサ２に接続された無線装置２１からの検出信号が不揮発性メモリＮＶＭに登録された無線装置２１との通信用の通信チャネルにおいて、検出信号の送信元の無線装置２１の識別情報を含んだ内容でアンテナＡＴ乃至通信用高周波回路部ＲＦで受信され変復調処理用デジタル処理回路部ＤＰにて復調されて入力されたか否かを確認する（ステップＳ７５）。
【００４６】
無線装置２１からの検出信号が入力されていない場合は（ステップＳ７５でＮ）、ステップＳ６１にリターンし、入力された場合は（ステップＳ７５でＹ）、その検出信号を、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された無線装置１１との通信用の通信チャネルで無線送信させた後（ステップＳ７７）、ステップＳ６１にリターンする。
【００４７】
以上の説明からも明らかなように、本実施形態のガス漏れ警報器１では、無線装置２１のマイコン部μＣＯＭの不揮発性メモリＮＶＭによって、請求項中のアイドルタイム格納手段Ａが構成されており、図６のフローチャートにおけるステップＳ４７、ステップＳ４９、及び、ステップＳ５３が、請求項中の検出状態出力手段Ｂに対応する処理となっている。
【００４８】
次に、上述のように構成された本実施形態のセキュリティーシステムの、特に、窓センサ２のセンサ本体２１による検出結果に応じた警報に関する動作（作用）について説明する。
【００４９】
まず、防犯中継器３が無線装置３１に既に接続されている状態で、ガス漏れ警報器１や窓センサ２が無線装置１１，２１に接続されると、その旨が、デフォルトの通信チャネルを使った無線通信により無線装置３１に報知され、これに呼応して無線装置３１が、接続報知信号の送信元の無線装置１１，２１との無線通信において以後使用する識別情報と通信チャネルを設定し、さらに、接続報知信号の送信元が無線装置２１である場合は、その無線装置２１の接続先の窓センサ２から侵入者があることを示す検出信号が入力された際にその検出信号を無線装置３１に無線送信するまでの待機時間であるアイドルタイムを設定して、これが、デフォルトの通信チャネルを使った無線通信により、ガス漏れ警報器１や窓センサ２の接続された無線装置１１，２１に報知され、以後、その無線装置１１，２１と無線装置３１との無線通信が、無線装置３１の設定した識別情報と通信チャネルとを使って行われる。
【００５０】
その後、不図示のリモコンによって、窓センサ２の設置された窓等からの侵入者の有無の検出を行う（侵入者監視の開始）状態から中止する（侵入者監視の解除）状態に設定が変更されると、これをリモコンから受信した防犯中継器３から窓センサ２に、各々に接続された無線装置２１，３１を介して、その旨を示す設定状態信号が無線で送信され、反対に、不図示のリモコンによって、窓センサ２の設置された窓等からの侵入者の有無の検出を中止する（侵入者監視の解除）状態から行う（侵入者監視の開始）状態に設定が変更されると、これをリモコンから受信した防犯中継器３から窓センサ２に、各々に接続された無線装置２１，３１を介して、その旨を示す設定状態信号が無線で送信される。
【００５１】
そして、設定状態信号を無線で受信した窓センサ２においては、不図示のリモコンによる設定状態が、窓センサ２の設置された窓等からの侵入者の有無の検出を中止する（侵入者監視の解除）状態になっている間は、窓センサ２による監視対象の窓の開閉状態の検出は行われない。
【００５２】
一方、不図示のリモコンによる設定状態が、窓センサ２の設置された窓等からの侵入者の有無の検出を行う（侵入者監視の開始）状態になっている間は、窓センサ２による監視対象の窓の開閉状態の検出が行われ、設置先の窓からの侵入者があることが窓センサ２で検出されると、その旨を示す検出信号が無線装置２１に入力され、さらに、その検出信号が無線装置２１から防犯中継器３の接続された無線装置３１と無線装置１１とを介して、この無線装置１１に接続されたガス漏れ警報器１に送信され、ガス漏れ警報器１がガス漏れの警報を出力するために有している音声報知機能を利用して、窓センサ２の設置箇所からの侵入者があることが音声出力により報知される。
【００５３】
このとき、窓センサ２からの検出信号が入力された無線装置２１による、防犯中継器３の接続された無線装置３１への検出信号の無線送信は、検出信号の無線装置２１への入力から、無線装置３１の設定したアイドルタイムが経過した後、他の無線装置２１により同じ通信キャリアが無線送信に使用されていないことを確認した上で実行されるので、同時に複数の窓センサ２からそれぞれに接続された無線装置２１に、設置先の窓からの侵入者があることを示す検出信号が無線装置２１に入力されても、各無線装置２１から無線装置３１への検出信号の無線送信がそれぞれ異なるアイドルタイムをおいてから実行されるので、各無線装置２１から無線装置３１への検出信号の無線送信がバッティングすることが無く、このバッティングによって無線装置３１がいずれの無線装置２１からの検出信号も受信できないという不具合が発生することがない。
【００５４】
尚、上述した実施形態では、無線装置２１への窓センサ２の接続に伴う無線装置２１からの接続報知信号を受信した時に、防犯中継器３に接続された無線装置３１が、無線装置２１の識別情報や通信チャネルと共にアイドルタイムを設定するものとしたが、他の無線装置２１とは異なるアイドルタイムを予め設定しておいて無線装置２１の不揮発性メモリＮＶＭに当初から登録しておくようにしてもよく、無線装置２１に設けたディップスイッチ等の設定手段により、他の無線装置２１とは異なるアイドルタイムを個々に設定し、あるいは、これを無線装置２１の不揮発性メモリＮＶＭに登録するようにしてもよい。
【００５５】
また、アイドルタイムの時間長は、例えば、先に設定されたものほど短く、後から設定されたものほど一定の時間長だけ長くなるように設定することもできるし、マイコン部μＣＯＭに設けた乱数発生機能を用いてランダムに設定することもできる。
【００５６】
さらに、設置先の窓からの侵入者があることを示す検出信号が接続先の窓センサ２から入力された際に、他の無線装置２１により同じ通信キャリアが無線送信に使用されていないことの確認を即座に所定時間に亘って行うようにし、この所定時間の時間長をアイドルタイムに代えて、他の無線装置２１とは異なる時間長に設定する構成としても、各無線装置２１から無線装置３１に対する検出信号の無線送信のバッティングを防止することができる。
【００５７】
また、本実施形態では請求項中のセキュリティーセンサが窓センサ２である場合について説明したが、例えばサムターンの回転によりドアの解錠、施錠を検出してドアの開閉を監視するドアセンサ等、防犯に関わるセンサであれば、窓センサ以外のものであってもよい。
【図面の簡単な説明】
【００５８】
【図１】本発明に係るセキュリティーセンサ用無線装置の基本構成図である。
【図２】本発明の一実施形態に係る無線装置を用いて複数のセキュリティーセンサによる複数の窓からの侵入者の監視を行うセキュリティーシステムの概略構成を示すブロック図である。
【図３】図２の無線装置の構成例を示すブロック図である。
【図４】ガス漏れ警報器に有線接続される無線装置のマイコン部が内部のＲＯＭに格納された制御プログラムにしたがって実行する処理のフローチャートである。
【図５】窓センサに有線接続される無線装置のマイコン部が内部のＲＯＭに格納された制御プログラムにしたがって実行する処理のフローチャートである。
【図６】窓センサに有線接続される無線装置のマイコン部が内部のＲＯＭに格納された制御プログラムにしたがって実行する処理のフローチャートである。
【図７】防犯中継器に有線接続される無線装置のマイコン部が内部のＲＯＭに格納された制御プログラムにしたがって実行する処理のフローチャートである。
【符号の説明】
【００５９】
１  警報器
２  窓センサ
３  中継器
１１，２１，３１  無線装置
Ａ  アイドルタイム格納手段
Ｂ  検出状態出力手段
【図１】
2007200003.tif 000003
【図２】
2007200003.tif 000004
【図３】
2007200003.tif 000005
【図４】
2007200003.tif 000006
【図５】
2007200003.tif 000007
【図６】
2007200003.tif 000008
【図７】
2007200003.tif 000009